(57)【要約】【課題】  画像の表示に必要な電力を節約するとともに、リアルタイムで被写体を視認することが可能な表示装置、表示方法及び撮影装置を提供する。【解決手段】  撮影装置１０は、撮影モード時に表示部１４をファインダとして用いる場合に、被写体光を表示部１４に透過させて、透過画像Ｏ１０’を画角確認に使用する透過モードと、レンズユニット１８を介して取り込んだライブビュー画像を表示部１４に表示するライブビュー画像撮影モードの２つのライブビューモードを有している。撮影装置１０は、デフォルトのズーム位置（例えば、撮影装置１０の起動時のズーム位置。具体的には、ワイド端）の場合に透過モードとなり、ズーミング操作によってズーム位置がデフォルトのズーム位置から移動した場合、又は被写体の画像上にユーザの操作内容を示す画像（例えば、メニュー設定画面、グリッドライン表示又は顔検出モードの顔検出枠）を重畳して表示する操作が検出された場合にライブビュー画像表示モードとなる。【選択図】      図２
2009111581.tif 000002
【特許請求の範囲】
【請求項１】
被写体からの被写体光を透過する透明な部材により構成された第１の表示手段と、
前記被写体光を透過する透明な部材により構成されており、前記第１の表示手段の被写体側の面に重ね合わされた第２の表示手段と、
前記第１の表示手段の画像を表示する領域の全部又は一部に設けられた第１の領域に画像を表示する場合に、前記第２の表示手段を制御して、前記第２の表示手段の前記第１の領域と重なり合う第２の領域に前記被写体光を遮光するための表示を行わせる制御手段と、
を備えることを特徴とする表示装置。
【請求項２】
前記第１の表示手段は、液晶ディスプレイであり、
前記液晶ディスプレイに表示された画像を照明するための照明手段を更に備えることを特徴とする請求項１記載の表示装置。
【請求項３】
前記第１の表示手段は、有機ＥＬディスプレイ又は無機ＥＬディスプレイであることを特徴とする請求項１記載の表示装置。
【請求項４】
前記被写体の画像を撮影するための撮影手段と、
請求項１から３のいずれか１項記載の表示装置と、
前記第１及び第２の表示手段に当たる被写体光を透過させる第１のライブビューモードと、前記第２の表示手段により前記第１の表示手段の全面に当たる前記被写体光を遮光し、前記撮影手段によって撮影されたライブビュー画像を前記第１の表示手段に表示する第２のライブビューモードとを切り替えるライブビューモード切替手段と、
を備えることを特徴とする撮影装置。
【請求項５】
前記制御手段は、前記第１のライブビューモード時に、前記第１の表示手段の画像を表示する領域の一部に設けられた第１の領域に画像を表示する場合に、前記第２の表示手段を制御して、前記第２の表示手段の前記第１の領域と重なり合う第２の領域に前記被写体光を遮光するための表示を行わせることを特徴とする請求項４記載の撮影装置。
【請求項６】
前記撮影手段によって撮影される被写体の画像のズーミングを行うためのズームレンズを含むズーム光学系を更に備え、
前記ライブビューモード切替手段は、ズーミングが行われた場合に、前記ライブビューモードを第２のライブビューモードに設定し、
前記制御手段は、前記ズーミングされたライブビュー画像を前記第１の表示手段に表示させることを特徴とする請求項４又は５記載の撮影装置。
【請求項７】
前記ライブビュー画像切替手段は、前記ズームレンズの位置が前記所定の位置の場合に、前記第１のライブビューモードに切り替える一方、ズーミングによって前記ズームレンズの位置が前記所定の位置以外の位置に移動した場合に、前記第２のライブビューモードに切り替えることを特徴とする請求項６記載の撮影装置。
【請求項８】
前記所定の位置は、ワイド端であることを特徴とする請求項７記載の撮影装置。
【請求項９】
前記被写体の画像に所定の操作部材を重畳して表示するかどうかを設定する設定手段を更に備え、
前記ライブビューモード切替手段は、前記被写体の画像に前記操作部材が重畳されて表示される場合に、前記ライブビューモードを第２のモードに切り替え、
前記第１の表示手段は、前記撮影手段によって撮影された被写体の画像に前記操作部材を重畳して表示させることを特徴とする請求項４から８のいずれか１項記載の撮影装置。
【請求項１０】
前記設定手段は、前記被写体の画像にグリッドラインを表示するかどうかを切り替える手段であることを特徴とする請求項９記載の撮影装置。
【請求項１１】
前記設定手段は、前記撮影装置によって撮影された画像から被写体の顔を検出し、検出した顔を含む領域を示す顔検出枠を付す顔検出モードの設定を行う手段であることを特徴とする請求項９又は１０記載の撮影装置。
【請求項１２】
前記第１のライブビューモード時に、前記撮影手段への電源の供給を制限する電源制御手段を更に備えることを特徴とする請求項４から１１のいずれか１項記載の撮影装置。
【請求項１３】
前記撮影手段によって前記被写体の画像を撮影して、前記画像記録手段に記録する撮影指示の入力を受け付ける撮影指示手段を更に備え、
前記電源制御手段は、前記撮影指示の入力を受け付けた場合に、前記撮影手段への電源の供給を開始することを特徴とする請求項１２記載の撮影装置。
【請求項１４】
前記撮影手段によって撮影された画像を記録するための画像記録手段と、
前記撮影手段によって被写体の画像を撮影するための撮影モードと、前記画像記録手段に記録された画像を前記第１の表示手段に再生表示するための再生モードとの間で動作モードを切り替える動作モード切替手段とを更に備え、
前記制御手段は、前記再生モード時に、前記第２の表示手段により前記第１の表示手段の全面に当たる前記被写体光を遮光し、前記画像記録手段に記録された画像を前記第１の表示手段に表示することを特徴とする請求項４から１３のいずれか１項記載の撮影装置。
【請求項１５】
前記撮影手段によって撮影される被写体の画像と、前記第１及び第２の表示手段を透過する被写体の透過画像との間で生じるパララックスを補正する補正手段を更に備えることを特徴とする請求項４から１４のいずれか１項記載の撮影装置。
【請求項１６】
透明な部材により構成された第１及び第２の表示手段に当たる被写体からの被写体光を透過させるとともに、前記第１の表示手段の画像を表示する領域の全部又は一部に設けられた第１の領域に画像を表示する工程と、
前記第２の表示手段の前記第１の領域と重なり合う第２の領域に前記被写体光を遮光するための表示を行う工程と、
を備えることを特徴とする表示方法。
【請求項１７】
透明な部材により構成された第１及び第２の表示手段に当たる被写体からの被写体光を透過させるとともに、前記第１の表示手段の画像を表示する領域の全部又は一部に設けられた第１の領域に画像を表示するとともに、前記第２の表示手段の前記第１の領域と重なり合う第２の領域に前記被写体光を遮光するための表示を行う表示工程と、
前記表示工程の実行中に、画像を撮影するための撮影手段への電源の供給を制限する第１の電源制御工程と、
画像を撮影するための撮影手段によって前記被写体の画像を撮影して、画像記録手段に記録する撮影指示の入力を受け付ける撮影指示工程と、
前記撮影指示の入力を受け付けた場合に、前記撮影手段への電源の供給を開始する第２の電源制御工程と、
を備えることを特徴とする表示方法。
【請求項１８】
前記被写体の画像を撮影するための撮影手段によって画像を撮影する工程と、
前記撮影手段のズームレンズを駆動してズーミングを行う工程と、
前記ズーミングが行われた場合に、前記第２の表示手段により前記第１の表示手段の全面に当たる前記被写体光を遮光するとともに、前記撮影手段によって撮影されたライブビュー画像を前記第１の表示手段に表示する工程と、
を更に備えることを特徴とする請求項１６又は１７記載の表示方法。
【請求項１９】
前記被写体の画像に所定の操作部材を重畳して表示するかどうかを設定する工程と、
前記被写体の画像に前記操作部材が重畳されて表示する設定が行われた場合に、前記第２の表示手段により前記第１の表示手段の全面に当たる前記被写体光を遮光するとともに、前記撮影手段によって撮影されたライブビュー画像に前記操作部材を重畳して前記第１の表示手段に表示する工程と、
を更に備えることを特徴とする請求項１６から１８のいずれか１項記載の表示方法。
【請求項２０】
画像を撮影するための撮影手段によって撮影された画像を画像記録手段に記録する工程と、
前記撮影手段によって被写体の画像を撮影するための撮影モードと、前記画像記録手段に記録された画像を前記第１の表示手段に再生表示するための再生モードとの間で動作モードを切り替える動作モード切替工程と、
前記再生モード時に、前記第２の表示手段により前記第１の表示手段の全面に当たる前記被写体光を遮光し、前記画像記録手段に記録された画像を前記第１の表示手段に表示する工程と、
を更に備えることを特徴とする請求項１６から１９のいずれか１項記載の表示方法。
【発明の詳細な説明】
【技術分野】
【０００１】
本発明は表示装置、表示方法及び撮影装置に係り、特に表示画面を通して被写体を視認するときに当該表示画面に画像を表示する表示装置等に関する。
【背景技術】
【０００２】
特許文献１には、ヘッドマウントディスプレイ装置において、表示手段による表示の濃度を外界からのシースルー光の光量に応じて調整することが開示されている。
【０００３】
特許文献２には、一方の側から反射型として視認を行い、もう一方の側から透過型として視認を行うことが可能な両面ディスプレイが開示されている。
【特許文献１】特開２００２−２４４０７７号公報
【特許文献２】再公表特許ＷＯ２００４／０３６３００号公報
【発明の開示】
【発明が解決しようとする課題】
【０００４】
従来の表示装置は、表示画像の照明又は発光のために大きな消費電力を必要とする。例えば、液晶ディスプレイ（ＬＣＤ）の場合、バックライトを用いるため消費電力が大きくなる。また、有機ＥＬ又は無機ＥＬディスプレイを用いる場合も自発光のための消費電力を必要とする。従って、上記のような表示装置を小型の電子機器に設けると、バッテリが早く消費されてしまうという問題がある。
【０００５】
また、表示装置を備えた電子カメラにおいてライブビュー画像（スルー画）表示を行う場合、画像の取り込み→画像処理→表示の一連の処理に時間がかかるため、表示装置に表示される被写体の画像と実際の被写体の動きにタイムラグが生じ、リアルタイムのライブビュー画像表示が困難であるという問題があった。
【０００６】
上記特許文献１に記載の技術では、外界からの光を光路分離手段（ハーフミラー）により分割するため、撮影光学系及びユーザに届く被写体光の光量が少なくなるという問題があった。また、上記特許文献２に記載の技術は、ライブビュー画像表示時の省電力化とリアルタイム性の向上を図るものではなかった。
【０００７】
本発明はこのような事情に鑑みてなされたもので、画像の表示に必要な電力を節約するとともに、リアルタイムで被写体を視認することが可能な表示装置、表示方法及び撮影装置を提供することを目的とする。
【課題を解決するための手段】
【０００８】
上記課題を解決するために、本発明の第１の態様に係る表示装置は、被写体からの被写体光を透過する透明な部材により構成された第１の表示手段と、前記被写体光を透過する透明な部材により構成されており、前記第１の表示手段の被写体側の面に重ね合わされた第２の表示手段と、前記第１の表示手段の画像を表示する領域の全部又は一部に設けられた第１の領域に画像を表示する場合に、前記第２の表示手段を制御して、前記第２の表示手段の前記第１の領域と重なり合う第２の領域に前記被写体光を遮光するための表示を行わせる制御手段とを備えることを特徴とする。
【０００９】
上記第１の態様によれば、被写体を透過して視認可能な透明な第１及び第２の表示手段をファインダとして用いることにより、ユーザはリアルタイムの被写体の透過画像を視認することができ、被写体の画像の撮影に要する電力を節約することができる。
【００１０】
本発明の第２の態様に係る表示装置は、上記第１の態様において、前記第１の表示手段は、液晶ディスプレイであり、前記液晶ディスプレイに表示された画像を照明するための照明手段を更に備えることを特徴とする。
【００１１】
本発明の第３の態様に係る表示装置は、上記第１の態様において、前記第１の表示手段は、有機ＥＬディスプレイ又は無機ＥＬディスプレイであることを特徴とする。
【００１２】
なお、上記第１から第３の態様に係る表示装置は、撮影装置（電子カメラ）及びカメラ付き携帯電話機のほか、例えば、顕微鏡や望遠鏡の視野内に倍率等のメニューを表示するための表示装置に適用することができる。
【００１３】
本発明の第４の態様に係る撮影装置は、前記被写体の画像を撮影するための撮影手段と、上記第１から３の態様に係る表示装置と、前記第１及び第２の表示手段に当たる被写体光を透過させる第１のライブビューモードと、前記第２の表示手段により前記第１の表示手段の全面に当たる前記被写体光を遮光し、前記撮影手段によって撮影されたライブビュー画像を前記第１の表示手段に表示する第２のライブビューモードとを切り替えるライブビューモード切替手段とを備えることを特徴とする。
【００１４】
上記第４の態様によれば、第１及び第２のライブビューモードを切り替え可能にすることにより、本発明に係る表示装置を撮影装置（電子カメラ）のビューファインダとして使用するときの電力を節約することができる。
【００１５】
本発明の第５の態様に係る撮影装置は、上記第４の態様において、前記制御手段は、前記第１のライブビューモード時に、前記第１の表示手段の画像を表示する領域の一部に設けられた第１の領域に画像を表示する場合に、前記第２の表示手段を制御して、前記第２の表示手段の前記第１の領域と重なり合う第２の領域に前記被写体光を遮光するための表示を行わせることを特徴とする。
【００１６】
上記第５の態様によれば、例えば、ユーザの設定内容を示すアイコンのような画像を第１の表示手段に表示させ、該画像に当たる被写体光を遮光することにより、被写体の透過画像を視認可能にするとともに、視認性の高い画像表示を同時に実現することができる。
【００１７】
本発明の第６の態様に係る撮影装置は、上記第４又は５の態様において、前記撮影手段によって撮影される被写体の画像のズーミングを行うためのズームレンズを含むズーム光学系を更に備え、前記ライブビューモード切替手段は、ズーミングが行われた場合に、前記ライブビューモードを第２のライブビューモードに設定し、前記制御手段は、前記ズーミングされたライブビュー画像を前記第１の表示手段に表示させることを特徴とする。
【００１８】
上記第６の態様によれば、ズーミング操作によってズーム位置がデフォルトのズーム位置から移動した場合にのみライブビュー画像の撮影及び表示を行うようにしたので、本発明に係る表示装置を撮影装置（電子カメラ）のビューファインダとして使用するときの電力を節約することができる。
【００１９】
本発明の第７の態様に係る撮影装置は、上記第６の態様において、前記ライブビュー画像切替手段は、前記ズームレンズの位置が前記所定の位置の場合に、前記第１のライブビューモードに切り替える一方、ズーミングによって前記ズームレンズの位置が前記所定の位置以外の位置に移動した場合に、前記第２のライブビューモードに切り替えることを特徴とする。
【００２０】
本発明の第８の態様に係る撮影装置は、上記第７の態様において、前記所定の位置は、ワイド端であることを特徴とする。
【００２１】
本発明の第９の態様に係る撮影装置は、上記第４から８の態様において、前記被写体の画像に所定の操作部材を重畳して表示するかどうかを設定する設定手段を更に備え、前記ライブビューモード切替手段は、前記被写体の画像に前記操作部材が重畳されて表示される場合に、前記ライブビューモードを第２のモードに切り替え、前記第１の表示手段は、前記撮影手段によって撮影された被写体の画像に前記操作部材を重畳して表示させることを特徴とする。
【００２２】
上記第９の態様によれば、被写体の画像上にユーザの操作内容を示す操作部材（例えば、メニュー設定画面、グリッドライン表示又は顔検出モードの顔検出枠）を重畳して表示する操作が検出された場合にのみライブビュー画像の撮影及び表示を行うようにしたので、本発明に係る表示装置を撮影装置（電子カメラ）のビューファインダとして使用するときの電力を節約することができる。
【００２３】
本発明の第１０の態様に係る撮影装置は、上記第９の態様において、前記設定手段は、前記被写体の画像にグリッドラインを表示するかどうかを切り替える手段であることを特徴とする。
【００２４】
本発明の第１１の態様に係る撮影装置は、上記第９又は１０の態様において、前記設定手段は、前記撮影装置によって撮影された画像から被写体の顔を検出し、検出した顔を含む領域を示す顔検出枠を付す顔検出モードの設定を行う手段であることを特徴とする。
【００２５】
本発明の第１２の態様に係る撮影装置は、上記第４から１１の態様において、前記第１のライブビューモード時に、前記撮影手段への電源の供給を制限する電源制御手段を更に備えることを特徴とする。
【００２６】
本発明の第１３の態様に係る撮影装置は、上記第１２の態様において、前記撮影手段によって前記被写体の画像を撮影して、前記画像記録手段に記録する撮影指示の入力を受け付ける撮影指示手段を更に備え、前記電源制御手段は、前記撮影指示の入力を受け付けた場合に、前記撮影手段への電源の供給を開始することを特徴とする。
【００２７】
上記第１３の態様によれば、第１のライブビューモード時には、撮影指示入力（Ｓ１オン）に応じて撮影部に電力を供給するようにしたので、撮影装置の省電力化を図ることができる。
【００２８】
本発明の第１４の態様に係る撮影装置は、上記第４から１３の態様において、前記撮影手段によって撮影された画像を記録するための画像記録手段と、前記撮影手段によって被写体の画像を撮影するための撮影モードと、前記画像記録手段に記録された画像を前記第１の表示手段に再生表示するための再生モードとの間で動作モードを切り替える動作モード切替手段とを更に備え、前記制御手段は、前記再生モード時に、前記第２の表示手段により前記第１の表示手段の全面に当たる前記被写体光を遮光し、前記画像記録手段に記録された画像を前記第１の表示手段に表示することを特徴とする。
【００２９】
上記第１４の態様によれば、撮影モード時に本発明に係る表示装置を撮影装置（電子カメラ）のビューファインダとして使用するときの電力を節約するとともに、当該表示装置における画像の再生表示とを両立させることができる。
【００３０】
本発明の第１５の態様に係る撮影装置は、上記第４から１４の態様において、前記撮影手段によって撮影される被写体の画像と、前記第１及び第２の表示手段を透過する被写体の透過画像との間で生じるパララックスを補正する補正手段を更に備えることを特徴とする。
【００３１】
上記第１５の態様によれば、第１及び第２の表示手段を透過する被写体の透過画像と、撮影手段によって撮影されるライブビュー画像とを一致させることができるので、よりリアルタイム性が高い被写体透過画像を視認することが可能になる。
【００３２】
本発明の第１６の態様に係る表示方法は、透明な部材により構成された第１及び第２の表示手段に当たる被写体からの被写体光を透過させるとともに、前記第１の表示手段の画像を表示する領域の全部又は一部に設けられた第１の領域に画像を表示する工程と、前記第２の表示手段の前記第１の領域と重なり合う第２の領域に前記被写体光を遮光するための表示を行う工程とを備えることを特徴とする。
【００３３】
本発明の第１７の態様に係る表示方法は、透明な部材により構成された第１及び第２の表示手段に当たる被写体からの被写体光を透過させるとともに、前記第１の表示手段の画像を表示する領域の全部又は一部に設けられた第１の領域に画像を表示するとともに、前記第２の表示手段の前記第１の領域と重なり合う第２の領域に前記被写体光を遮光するための表示を行う表示工程と、前記表示工程の実行中に、画像を撮影するための撮影手段への電源の供給を制限する第１の電源制御工程と、画像を撮影するための撮影手段によって前記被写体の画像を撮影して、画像記録手段に記録する撮影指示の入力を受け付ける撮影指示工程と、前記撮影指示の入力を受け付けた場合に、前記撮影手段への電源の供給を開始する第２の電源制御工程とを備えることを特徴とする。
【００３４】
本発明の第１８の態様に係る表示方法は、上記第１６又は１７の態様において、前記被写体の画像を撮影するための撮影手段によって画像を撮影する工程と、前記撮影手段のズームレンズを駆動してズーミングを行う工程と、前記ズーミングが行われた場合に、前記第２の表示手段により前記第１の表示手段の全面に当たる前記被写体光を遮光するとともに、前記撮影手段によって撮影されたライブビュー画像を前記第１の表示手段に表示する工程とを更に備えることを特徴とする。
【００３５】
本発明の第１９の態様に係る表示方法は、上記第１６から１８の態様において、前記被写体の画像に所定の操作部材を重畳して表示するかどうかを設定する工程と、前記被写体の画像に前記操作部材が重畳されて表示する設定が行われた場合に、前記第２の表示手段により前記第１の表示手段の全面に当たる前記被写体光を遮光するとともに、前記撮影手段によって撮影されたライブビュー画像に前記操作部材を重畳して前記第１の表示手段に表示する工程とを更に備えることを特徴とする。
【００３６】
本発明の第２０の態様に係る表示方法は、上記第１６から１９の態様において、画像を撮影するための撮影手段によって撮影された画像を画像記録手段に記録する工程と、前記撮影手段によって被写体の画像を撮影するための撮影モードと、前記画像記録手段に記録された画像を前記第１の表示手段に再生表示するための再生モードとの間で動作モードを切り替える動作モード切替工程と、前記再生モード時に、前記第２の表示手段により前記第１の表示手段の全面に当たる前記被写体光を遮光し、前記画像記録手段に記録された画像を前記第１の表示手段に表示する工程とを更に備えることを特徴とする。
【発明の効果】
【００３７】
本発明によれば、被写体を透過して視認可能な透明な第１及び第２の表示手段をファインダとして用いることにより、ユーザはリアルタイムの被写体の透過画像を視認することができ、被写体の画像の撮影に要する電力を節約することができる。
【発明を実施するための最良の形態】
【００３８】
以下、添付図面に従って本発明に係る表示装置、表示方法及び撮影装置の好ましい実施の形態について説明する。
【００３９】
［第１の実施形態］
図１は、本発明の第１の実施形態に係る表示装置を備えた撮影装置の外観を示す斜視図である。図１に示すように、本実施形態に係る撮影装置１０は、静止画や動画の記録及び再生機能を備えた電子カメラであり、操作部１２、表示部１４及びカメラ本体部１６を備えている。操作部１２には、レリーズスイッチＳＷ１０を含む各種の操作スイッチが設けられている。カメラ本体部１６には、レンズユニット１８を含む撮影部及び各種の処理回路が設けられている。撮影装置１０は、画像を撮影するための撮影モードと、画像を再生するための再生モードの２つの動作モードを備えている。表示部１４は、撮影モード時に画角確認用の電子ファインダとして機能するとともに、再生モード時に記録済み画像を再生表示する表示手段として機能する。また、表示部１４は、メニュー情報や選択項目、設定内容等の情報を表示するためのユーザインターフェース用の表示手段としても機能する。
【００４０】
図２は、表示部１４とユーザＵ１０及び被写体Ｏ１０の位置関係を模式的に示す図であり、図３は、表示部１４を分解して示す斜視図である。図２に示すように、表示部１４は、表示部１４０、照明部１４２、被写体光制御部１４４及び補正光学系１４６がユーザＵ１０側から被写体Ｏ１０側に順番に重ね合わされて構成されている。表示部１４０、照明部１４２、被写体光制御部１４４及び補正光学系１４６はいずれもほぼ同じ大きさの透明な板状である。ユーザＵ１０は、表示部１４を通して被写体Ｏ１０の透過画像Ｏ１０’を視認可能になっている。
【００４１】
撮影装置１０は、撮影モード時に表示部１４をファインダとして用いる場合に、被写体光を表示部１４に透過させて、透過画像Ｏ１０’を画角確認に使用する透過モードと、レンズユニット１８を介して取り込んだライブビュー画像（スルー画）を表示部１４に表示するライブビュー画像表示モードの２つのライブビューモードを有している。撮影装置１０は、例えば、デフォルトのズーム位置（例えば、撮影装置１０の起動時のズーム位置。具体的には、ワイド端）の場合に透過モードとなり、例えば、ズーミング操作によってズーム位置がデフォルトのズーム位置から移動した場合、又は被写体の画像上にユーザの操作内容を示す画像（例えば、メニュー設定画面、グリッドライン表示又は顔検出モードの顔検出枠）を重畳して表示する操作が検出された場合にライブビュー画像表示モードとなる。
【００４２】
表示部（ＬＣＤ）１４０は、透過モード時において、例えば、撮影モード（例えば、オートモード又はマクロモード）、フラッシュ発光モード／非発光モード、顔検出モード又は撮影可能枚数のような各種設定内容情報を示すアイコン（例えば、図形、文字）Ｉ１０を所定の表示領域Ａ１０に表示する。表示領域Ａ１０は、例えば、表示部１４０の周辺部に設けられる。
【００４３】
照明部１４２は、例えば、有機ＥＬ又は無機ＥＬにより構成されており、表示部１４０に表示されたアイコンＩ１０を照明するバックライトとして機能する。照明部１４２は、透過モード時において、表示部１４０の表示領域Ａ１０と重なり合う領域Ａ１２のみを発光させる。
【００４４】
なお、本実施形態では、照明部１４２を有機ＥＬ又は無機ＥＬとしたが、照明部１４２の構成例はこれに限定されるものではない。例えば、照明部１４２は、発光手段（例えば、発光ダイオード）と、当該発光手段からの光を表示部１４０に導く導光手段（例えば、プリズム）により構成されるようにしてもよい。また、表示部１４０の代わりに自発光機能を有する有機ＥＬ又は無機ＥＬディスプレイを用いて、照明部１４２を設けない構成としてもよい。ここで、透明電極が用いられた画像を表示する部分が透明な有機ＥＬ又は無機ＥＬディスプレイは公知である。
【００４５】
被写体光制御部１４４は、例えば、液晶部、有機ＥＬ又は無機ＥＬにより構成されており、例えば、黒色又は灰色等の遮光用の表示を行うことにより、表示部１４０及び照明部１４２側への被写体光を遮光する。被写体光制御部１４４は、透過モード時において、表示部１４０のアイコンＩ１０が表示されている表示領域Ａ１０と重なり合う領域Ａ１４を通る被写体Ｏ１０からの被写体光を遮光する。なお、被写体光制御部１４４により被写体光の一部を透過させて、アイコンＩ１０を半透明に表示することも可能である。
【００４６】
補正光学系１４６は、撮影装置１０によって撮影される画像と、表示部１４を透過する被写体の透過画像Ｉ１０’との間で生じるパララックスを補正する。また、補正光学系１４６は、撮影装置１０が所定の姿勢（例えば、ユーザＵ１０の顔の正面の所定の位置）で把持された場合に、ユーザＵ１０に視認される透過画像Ｉ１０’がデフォルトのズーム位置（例えば、撮影装置１０の起動時のズーム位置。具体的には、ワイド端）の場合の撮影装置１０の撮影画角と略一致するように被写体光を補正する。これにより、ユーザＵ１０は、表示部１４を通して撮影画角を確認することができ、且つ、各種設定内容の情報を示すアイコンＩ１０を確実に視認することができる。
【００４７】
一方、ライブビュー画像表示モード時には、表示部１４０は、レンズユニット１８を介して取り込まれた被写体Ｏ１０の画像を表示し、照明部１４２は、表示部１４０の全面を照明する。また、被写体光制御部１４４は、ライブビュー画像表示モード時において、その全面に当たる被写体光を遮光する。これにより、表示部１４にライブビュー画像が表示される。
【００４８】
また、再生モード時には、表示部１４０は、後述する記録メディア３８から再生画像を読み出して再生表示し、照明部１４２は、表示部１４０の全面を照明する。また、被写体光制御部１４４は、再生モード時において、その全面に当たる被写体光を遮光する。これにより、表示部１４に再生画像が再生表示される。
【００４９】
図４は、撮影装置１０の内部構成を示すブロック図である。中央処理装置（ＣＰＵ）２２は、所定のプログラムに従って本カメラシステムを制御する制御手段として機能するとともに、自動露出（ＡＥ）演算、自動合焦制御（ＡＦ）演算、ホワイトバランス（ＷＢ）調整演算等、各種演算を実施する演算手段として機能する。ＣＰＵ２２は、Ａ／Ｄ変換器（ＡＤＣ）２６、Ｄ／Ａ変換器（ＤＡＣ）２８、ＰＩＯ３０、表示制御部３２及びメディア制御部３４とともに同一の集積回路（ＡＳＩＣ２０）上に設けられている。
【００５０】
電源回路５０は、撮影装置１０の各ブロックに電源を供給する。電源制御スイッチ５２は、電源回路５０から信号処理部４６等への電源の供給を制御する。
【００５１】
ＣＰＵ２２には、バス２４を介してＲＯＭ４０及びＲＡＭ４２が接続されている。ＲＯＭ４０は、ＣＰＵ２２が実行するプログラム及び制御に必要な各種データ等を格納するための記憶手段として機能する。ＲＡＭ４２は、プログラムの展開領域及びＣＰＵ２２の演算作業用領域、及び画像データや音声データの一時記憶領域として機能する。
【００５２】
撮影装置１０の操作部１２には、電源ボタン（Ｐｏｗｅｒ）、レリーズスイッチＳＷ１０（Ｓ１／Ｓ２）、ズームボタン（Ｗ、Ｔ）、再生ボタン、ファンクションボタン（Ｆ）、ＯＫ／ＭＥＮＵキー、十字キー（Ｕ、Ｂ、Ｌ、Ｒ）等の操作スイッチが設けられている。操作部１２からの信号はＣＰＵ２２に入力され、ＣＰＵ２２は操作部１２からの入力信号に基づいて撮影装置１０の各回路を制御し、例えば、レンズ駆動制御、撮影動作制御、画像処理制御、画像データの記録／再生制御、表示部１４の表示制御等を行う。
【００５３】
電源スイッチ（Ｐｏｗｅｒ）は、撮影装置１０の電源のオン・オフを切り替えるための操作手段である。
【００５４】
レリーズスイッチＳＷ１０は、撮影開始の指示を入力する操作手段であり、半押し時にオンするＳ１スイッチと、全押し時にオンするＳ２スイッチとを有する２段ストローク式のスイッチで構成されている。
【００５５】
ズームボタン（Ｗ、Ｔ）は、撮影モード時にズーミングを行うとともに、再生モード時に再生画像のズーミングを行うための操作手段である。
【００５６】
再生ボタンは、撮影装置１０の動作モードを再生モードに切り替えるための操作手段である。電源オン時に再生ボタンが押下されると、撮影装置１０の動作モードが再生モードに切り替わる。また、電源オフ時に再生ボタンが所定時間（例えば、数秒）押下されると、撮影装置１０が再生モードで起動する。再生モード時にレリーズスイッチが押下されると、動作モードが再生モードから撮影モードに切り替わる。
【００５７】
フォトモードボタン（Ｆ）は、撮影モード時に、撮影感度（ＩＳＯ感度）、画像のサイズ（ピクセル数）及び色調等の各種の設定を行い、再生モード時に、赤外線通信による画像の送受信、スライドショーの設定及びプリント予約（ＤＰＯＦ）の設定を行うための操作手段である。
【００５８】
ＯＫ／ＭＥＮＵキーは、表示部１４の画面上にメニューを表示させる指令を行うためのメニューボタンとしての機能と、選択内容の確定及び実行等を指令するＯＫボタンとしての機能とを兼備した操作キーである。
【００５９】
十字キーは、上下左右の４方向の指示を入力する操作部であり、メニュー画面から項目を選択したり、各メニューから各種設定項目の選択を指示したりする操作手段（カーソル移動操作手段）である。ＯＫ／ＭＥＮＵキー及び十字キーにより、フラッシュ発光モード／非発光モードの切り替え、及び顔検出モードのオン・オフを設定することができる。
【００６０】
撮影装置１０は、メディアスロット３６を有し、メディアスロット３６には記録メディア３８を着脱可能に装着することができる。記録メディア３８の形態は特に限定されず、ｘＤピクチャカード（登録商標）、スマートメディア（登録商標）に代表される半導体メモリカード、可搬型小型ハードディスク、磁気ディスク、光ディスク、光磁気ディスク等、種々の媒体を用いることができる。メディア制御部３４は、メディアスロット３６に装着される記録メディア３８に適した入出力信号の受渡しを行うために所要の信号変換を行う。
【００６１】
また、撮影装置１０は、図示せぬ外部接続インターフェース（例えば、ＵＳＢ、IEEE1394又はBluetooth（登録商標））を介してパーソナルコンピュータその他の外部機器と通信可能に接続することができる。
【００６２】
次に、撮影装置１０の撮影機能について説明するライブビュー画像を撮影する時には、撮像素子（ＣＣＤ）４４を含む撮影部に電源が供給され、被写体の撮影可能な状態になる。なお、本実施形態では、撮像素子４４としてＣＣＤを用いたが、例えば、ＣＭＯＳのような他の固体撮像素子を用いるようにしてもよい。
【００６３】
レンズユニット１８は、フォーカスレンズ、ズームレンズ及び絞りを含む光学ユニットである。ＣＰＵ２２は、モータドライバ５６に制御信号を出力してモータ５４を制御し、フォーカシング、ズーミング及び絞り値の設定を行う。
【００６４】
レンズユニット１８を通過した被写体光は、撮像素子４４の受光面に結像される。撮像素子４４の受光面には多数の受光素子が２次元的に配列されており、各受光素子には赤（Ｒ）、緑（Ｇ）、青（Ｂ）の原色カラーフィルタが所定の配列構造で配置されている。なお、３原色のカラーフィルタの代わりに補色系のカラーフィルタを用いてもよい。撮像素子４４は、各受光素子の電荷蓄積時間（シャッタスピード）を制御する電子シャッタ機能を有している。ＣＰＵ２２は、信号処理部（ＡＦＥ／ＴＧ）４６に設けられたタイミングジェネレータ（ＴＧ）を介して撮像素子４４における電荷蓄積時間を制御する。
【００６５】
撮像素子４４の受光面に結像された被写体像は、各受光素子によって入射光量に応じた量の信号電荷に変換される。各受光素子に蓄積された信号電荷は、ＣＰＵ２２の指令に従ってＴＧから与えられる駆動パルスに基づいて信号電荷に応じたアナログの電圧信号（Ｒ、Ｇ、Ｂ信号）として順次読み出されて、信号処理部４６に送られる。この画素ごとのＲ、Ｇ、Ｂ信号は、信号処理部４６においてサンプリングホールド（相関２重サンプリング処理）されて増幅された後、Ａ／Ｄ変換器（ＡＤＣ）２６によってデジタルのＲ、Ｇ、Ｂ信号に変換される。なお、信号処理部４６におけるＲ、Ｇ、Ｂ信号の増幅ゲインは、撮影感度（ＩＳＯ感度）に相当する。ＣＰＵ２２は、操作部１２からの撮影感度の設定指示に応じて、信号処理部４６における増幅ゲインを調整して撮影感度の設定を行う。
【００６６】
上記のデジタルのＲ、Ｇ、Ｂ信号は、ＣＰＵ２２によって、同時化処理（単板ＣＣＤのカラーフィルタ配列に伴う色信号の空間的なズレを補間して色信号を同時式に変換する処理）、ホワイトバランス調整、階調変換（例えば、ガンマ補正）、輪郭補正、輝度・色差信号生成等の処理が施されて、輝度信号及び色差信号（Ｙ／Ｃ信号）としてＲＡＭ４２に記憶される。
【００６７】
ライブビュー画像表示モード時には、撮像素子４４によって取り込まれたＹ／Ｃ信号がＲＡＭ４２に２コマ分保持される。そして、ＲＡＭ４２に保持されたＹ／Ｃ信号のうちの１コマ分が読み出され、Ｄ／Ａ変換器（ＤＡＣ）２８によってアナログ信号に変換された後、バス２４を介して表示制御部３２に送られる。表示制御部３２は、入力された画像データを表示用の所定方式のビデオ信号（例えば、ＮＴＳＣ方式のカラー複合画像信号）に変換して表示部１４に出力する。一方、表示制御部３２に既に送られた別の１コマ分のＹ／Ｃ信号は、新たに撮像素子４４によって取り込まれたＹ／Ｃ信号によって上書きされる。上記のように、ＲＡＭ４２に保持された最新のコマを表示制御部３２に送り、表示制御部３２に既に送られたコマを更新することを繰り返すことで、表示部１４にライブビュー画像が出力される。そして、表示部１４において、表示部１４０にライブビュー画像が表示され、被写体光制御部１４４によって被写体光が遮光されて表示部１４０が照明部１４２によって照明される。
【００６８】
レリーズスイッチＳＷ１０が半押しされ、Ｓ１がオンすると、撮影装置１０はＡＥ及びＡＦ処理が行われる。
【００６９】
ＣＰＵ２２は、１画面を複数の分割エリア（例えば、８×８又は１６×１６）に分割してこの分割エリアごとにＲ、Ｇ、Ｂ信号を積算する。そして、ＣＰＵ２２は、積算値に基づいて被写体の明るさ（被写体輝度）を検出し、撮影に適した露出値（撮影ＥＶ値）を算出する。ＣＰＵ２２は、上記露出値と所定のプログラム線図に基づいて絞り値とシャッタースピードを決定し、これに従い撮像素子４４の電子シャッタ及びアイリスを制御して適正な露光量を得る。また、ＣＰＵ２２は、オート撮影時に、上記露出値及び所定のプログラム線図に基づいて、フラッシュ発光の要否を判定し、フラッシュ発光モード／非発光モードの設定を行う。
【００７０】
ＣＰＵ２２は、フラッシュ発光モードに設定された場合にフラッシュ発光部４８にコマンドを送って動作させる。フラッシュ発光部４８は、放電管と放電管を発光させるための電流を供給するためのメインコンデンサを含んでおり、ＣＰＵ２２からのフラッシュ発光指令に従ってメインコンデンサの充電制御、放電管への放電（発光）のタイミング及び放電時間（発光時間）の制御等を行う。なお、フラッシュ発光部４８としては、放電管に代えて発光ダイオード（ＬＥＤ）を用いることも可能である。
【００７１】
また、ＣＰＵ２２は、自動ホワイトバランス調整時に、分割エリアごとにＲ、Ｇ、Ｂ信号の色別の平均積算値を算出し、分割エリアごとのＲ／Ｇ及びＢ／Ｇの比を求め、これらＲ／Ｇ、Ｂ／Ｇの値のＲ／Ｇ、Ｂ／Ｇ軸座標の色空間における分布等に基づいて光源種判別を行う。そして、ＣＰＵ２２は、判別した光源種に応じてホワイトバランス調整回路のＲ、Ｇ、Ｂ信号に対するゲイン値（ホワイトバランスゲイン）を制御し、各色チャンネルの信号に補正をかける。
【００７２】
撮影装置１０におけるＡＦ制御は、例えば、画像信号のＧ信号の高周波成分が極大になるようにフォーカスレンズを移動させるコントラストＡＦが適用される。ＣＰＵ２２は、モータドライバ５６を制御してフォーカスレンズを移動させながら、複数のＡＦ検出ポイントで焦点評価値（ＡＦ評価値）を演算し、演算した焦点評価値が極大となるレンズ位置を合焦位置として決定し、求めた合焦位置にフォーカスレンズを移動させる。
【００７３】
なお、被写体の顔を検出する顔検出モードの場合には、検出された顔を示す顔検出枠が表示部１４に表示されるとともに、検出された顔に露出が最適化されるようにＡＥ制御が行われるとともに、検出された顔に合焦するようにＡＦ制御が行われる。
【００７４】
レリーズスイッチが半押しされ、Ｓ１オンによってＡＥ処理及びＡＦ処理が行われ、レリーズスイッチが全押しされ、Ｓ２オンによって記録用の撮影動作がスタートする。Ｓ２オンに応動して取得されたＲ、Ｇ、Ｂ信号は、ＣＰＵ２２によってＹ／Ｃ信号に変換され、ガンマ補正等の所定の処理が施された後、ＲＡＭ４２に格納される。
【００７５】
ＲＡＭ４２に格納されたＹ／Ｃ信号は、ＣＰＵ２２によって所定のフォーマットに従って圧縮された後、メディア制御部３４を介して記録メディア３８に記録される。例えば、静止画についてはＪＰＥＧ（Joint Photographic Experts Group）形式、動画についてはＡＶＩ（Audio Video Interleaving）形式の画像ファイルとして記録される。
【００７６】
再生モード時には、記録メディア３８に記録されている最終の画像ファイル（最後に記録された画像ファイル）の圧縮データが読み出される。最後の記録に係る画像ファイルが静止画ファイルの場合、この読み出された画像圧縮データは、ＣＰＵ２２によって非圧縮のＹ／Ｃ信号に伸張され、表示制御部３２によって表示用の信号に変換された後、表示部１４に出力される。そして、表示部１４において、表示部１４０に画像が表示され、被写体光制御部１４４によって被写体光が遮光されて表示部１４０が照明部１４２によって照明される。
【００７７】
静止画の１コマ再生中（動画の先頭フレーム再生中も含む）に、十字キーの右キー又は左キーを操作することによって、再生対象の画像ファイルを切り換えること（順コマ送り／逆コマ送り）ができる。コマ送りされた位置の画像ファイルが記録メディア３８から読み出されて表示部１４に再生表示される。
【００７８】
図５は、透過モード時における処理の流れを示すフローチャートである。まず、カメラの動作モードが撮影モードに設定されると、フラッシュ発光が必要かどうか判定され、フラッシュ発光モード／非発光モードの設定が行われる（ステップＳ１０）。フラッシュ発光モードに設定された場合には（ステップＳ１０のＹｅｓ）、フラッシュ発光部４８に設けられたメインコンデンサの充電が行われた後（ステップＳ１２、Ｓ１４）、ステップＳ１６に進む。一方、フラッシュ非発光モードに設定された場合には（ステップＳ１０のＮｏ）、ステップＳ１６に進む。
【００７９】
次に、透過モードの処理が開始し、電源制御スイッチ５２がオフになり、撮像素子４４、信号処理部（ＡＦＥ）４６及びフラッシュ発光部４８を含む撮影部への電源の供給が停止される（ステップＳ１６）。これにより、ユーザは、表示部１４を通して被写体Ｏ１０の透過画像Ｏ１０’を視認可能になる。そして、撮影装置１０の各種設定内容情報が読み出されて、設定内容情報を示すアイコンＩ１０を表示部１４に表示するかどうか判定される（ステップＳ１８）。アイコンＩ１０を表示する場合には（ステップＳ１８のＹｅｓ）、表示部１４０上においてアイコンＩ１０が表示される表示領域Ａ１０の位置を示す情報が読み出されて（ステップＳ２０）、照明部１４２の表示領域Ａ１０と重なり合う領域Ａ１２が発光するとともに、被写体光制御部１４４の表示領域Ａ１０及び領域Ａ１２と重なり合う領域（背面部）Ａ１４に当たる被写体光が遮光される（ステップＳ２２）。これにより、ユーザは、被写体Ｏ１０の透過画像Ｏ１０’と、アイコンＩ１０とを視認可能になる。
【００８０】
図６は、再生モードと撮影モードの各動作モード時において、表示部１４に画像を表示する処理の流れを示すフローチャートである。まず、動作モードが再生モードに切り替えられると（ステップＳ３０）、被写体光制御部１４４の全面に当たる被写体光が遮光される（ステップＳ３２）。そして、記録メディア３８に格納された画像の中から再生表示ライブビュー画像が選択されて（ステップＳ３４）、表示部１４０に表示され、照明部１４２によって表示部１４０の全面が照明される（ステップＳ３６）。
【００８１】
次に、動作モードが撮影モードに切り替えられると（ステップＳ３０）、ステップＳ３８からＳ５０の処理が行われる。なお、ステップＳ３８からＳ５０の処理は、それぞれ上記図５のステップＳ１０からＳ２４と同様であるため説明を省略する。
【００８２】
図７は、再生モードと撮影モードの各動作モード時において、表示部１４に画像を表示する処理の流れの別の態様を示すフローチャートである。まず、動作モードが再生モードに切り替えられると（ステップＳ６０）、被写体光制御部１４４の全面に当たる被写体光が遮光される（ステップＳ６２）。そして、記録メディア３８に格納された画像の中から再生表示ライブビュー画像が選択されて（ステップＳ６４）、表示部１４０に表示され、照明部１４２によって表示部１４０の全面が照明される（ステップＳ６６）。
【００８３】
次に、動作モードが撮影モードに切り替えられると（ステップＳ６０）、フラッシュ発光が必要かどうか判定され、フラッシュ発光モード／非発光モードの設定が行われる（ステップＳ６８）。フラッシュ発光モードに設定された場合には（ステップＳ６８のＹｅｓ）、フラッシュ発光部４８に設けられたメインコンデンサの充電が行われた後（ステップＳ７０、Ｓ７２）、ステップＳ７４に進む。一方、フラッシュ非発光モードに設定された場合には（ステップＳ６８のＮｏ）、ステップＳ７４に進む。
【００８４】
次に、透過モードの処理が開始し、電源制御スイッチ５２がオフになり、撮像素子４４、信号処理部（ＡＦＥ）４６及びフラッシュ発光部４８を含む撮影部への電源の供給が停止される（ステップＳ７４）。これにより、ユーザは、表示部１４を通して被写体Ｏ１０の透過画像Ｏ１０’を視認可能になる。そして、撮影装置１０の各種設定内容情報が読み出されて、設定内容情報を示すアイコンＩ１０を表示部１４に表示するかどうか判定される（ステップＳ７６）。アイコンＩ１０を表示する場合には（ステップＳ７６のＹｅｓ）、表示部１４０上におけるアイコンＩ１０の表示領域Ａ１０の位置を示す情報が読み出されて（ステップＳ７８）、照明部１４２の表示領域Ａ１０と重なり合う領域Ａ１２が発光するとともに、被写体光制御部１４４の表示領域Ａ１０及び領域Ａ１２と重なり合う領域（背面部）Ａ１４に当たる被写体光が遮光される（ステップＳ８０）。これにより、ユーザは、被写体Ｏ１０の透過画像Ｏ１０’と、アイコンＩ１０とを視認可能になる。
【００８５】
次に、ズームボタン（Ｗ、Ｔ）の押下が検出され、ズーミングが行われると（ステップＳ８２）、透過モードからライブビュー画像表示モードに切り替わる。即ち、被写体光制御部１４４の全面に当たる被写体光が遮光される（ステップＳ８４）。そして、撮像素子４４によりライブビュー画像の取り込みが行われて（ステップＳ８６）、表示部１４０にライブビュー画像が表示され、照明部１４２によって表示部１４０の全面が照明される（ステップＳ８８）。こうして、ライブビュー画像表示が行われると同時に、モータ５４が駆動し、ズーミングが行われる（ステップＳ９０）。
【００８６】
次に、モータ５４が停止すると、ズーム位置が検出される（ステップＳ９２）。ズーム位置がワイド端（デフォルト位置）の場合には（ステップＳ９２）、ライブビュー画像の取り込みが中断され、透過モードとなって、電源制御スイッチ５２がオフになり、撮像素子４４、信号処理部（ＡＦＥ）４６及びフラッシュ発光部４８を含む撮影部への電源の供給が停止される（ステップＳ９４）。一方、ズーム位置がワイド端ではない場合には（ステップＳ９２）、ステップＳ８４に進み、ライブビュー画像表示モードが継続される。
【００８７】
図８は、再生モードと撮影モードの各動作モード時において、表示部１４に画像を表示する処理の流れの別の態様を示すフローチャートである。なお、図８のステップＳ１００からＳ１２０の処理は、それぞれ図７のステップＳ６０からＳ８０と同様であるため説明を省略する。
【００８８】
図８の透過モード（ステップＳ１１４からＳ１２０）時において、被写体の画像上にユーザの操作内容を示す画像（例えば、メニュー設定画面、グリッドライン表示又は顔検出モードの顔検出枠）を重畳して表示する操作が検出された場合（ステップＳ１２２のＹｅｓ）、透過モードからライブビュー画像表示モードに切り替わる。即ち、被写体光制御部１４４の全面に当たる被写体光が遮光される（ステップＳ１２４）。そして、撮像素子４４によりライブビュー画像の取り込みが行われて（ステップＳ１２６）、表示部１４０にライブビュー画像が表示されるとともにユーザの操作内容を示す画像がライブビュー画像に重畳されて表示され、照明部１４２によって表示部１４０の全面が照明される（ステップＳ１２８）。
【００８９】
次に、被写体の画像上にユーザの操作内容を示す画像を重畳して表示しないようにする操作が検出された場合（ステップＳ１３０のＹｅｓ）、透過モードとなって、電源制御スイッチ５２がオフになり、撮像素子４４、信号処理部（ＡＦＥ）４６及びフラッシュ発光部４８を含む撮影部への電源の供給が停止される（ステップＳ１３２）。一方、被写体の画像上にユーザの操作内容を示す画像の重畳表示が継続している場合には、（ステップＳ１３０のＮｏ）、ステップＳ１２４に進み、ライブビュー画像表示モードが継続される。
【００９０】
図９は、撮影モード時における電源制御の流れを示すフローチャートである。まず、撮影モード時において（ステップＳ１４０）、ライブビューモードが透過モードの場合には（ステップＳ１４２のＹｅｓ）、電源制御スイッチ５２がオフになり、撮像素子４４、信号処理部（ＡＦＥ）４６及びフラッシュ発光部４８を含む撮影部への電源の供給が停止されスタンバイ状態（省電力状態）となる（ステップＳ１４４）。
【００９１】
次に、Ｓ１オンが検出されると（ステップＳ１４６）、電源制御スイッチ５２がオンになり、撮像素子４４、信号処理部４６及びフラッシュ発光部４８を含む撮影部への電源の供給が開始され（ステップＳ１４８）、被写体の画像が取り込まれる（ステップＳ１５０）。
【００９２】
本実施形態によれば、被写体Ｏ１０を透過して視認可能な透明な表示部１４をファインダとして用いることにより、ユーザはリアルタイムの被写体の透過画像を視認することができ、ライブビュー画像の取り込みに要する電力を節約することができる。更に、本実施形態によれば、ズーミング操作によってズーム位置がデフォルトのズーム位置から移動した場合、被写体の画像上にユーザの操作内容を示す画像（例えば、メニュー設定画面、グリッドライン表示又は顔検出モードの顔検出枠）を重畳して表示する操作が検出された場合、Ｓ１オン時のような必要な場合にのみ、撮影部に電力を供給するようにしたので、操作性を損なうことなく、撮影装置１０の省電力化を図ることができる。
【００９３】
なお、上記の撮影装置１０では、透過モード時に撮影した画像を表示部１４に表示して、構図を決定するためのテンプレートとして利用することも可能である。
【００９４】
［第２の実施形態］
次に、本発明の第２の実施形態について説明する。図１０は、本発明の第２の実施形態に係る表示装置を備えたカメラ付携帯電話機の外観を示す斜視図である。図１０に示すように、本実施形態のカメラ付携帯電話機１００は、表示部１０２と操作部１０４とを備えている。カメラ付携帯電話機１００は、上記第１の実施形態と同様に、カメラで撮影を行う撮影モードの場合に、被写体光を表示部１０２に透過させる透過モードと、ライブビュー画像を取り込んで表示するライブビュー画像表示モードの２つのライブビューモードを備えており、ユーザは、透過モード時において、表示部１０２を通して被写体Ｏ２０の透過画像Ｏ２０’を視認可能となっている。本実施形態においても、画像の表示に必要な電力を節約するとともに、リアルタイムで被写体を視認することができる。
【図面の簡単な説明】
【００９５】
【図１】本発明の第１の実施形態に係る表示装置を備えた撮影装置の外観を示す斜視図
【図２】表示部１４とユーザＵ１０及び被写体Ｏ１０の位置関係を模式的に示す図
【図３】表示部１４を分解して示す斜視図
【図４】撮影装置１０の内部構成を示すブロック図
【図５】透過モード時における処理の流れを示すフローチャート
【図６】再生モードと撮影モードの各動作モード時において、表示部１４に画像を表示する処理の流れを示すフローチャート
【図７】再生モードと撮影モードの各動作モード時において、表示部１４に画像を表示する処理の流れの別の態様を示すフローチャート
【図８】再生モードと撮影モードの各動作モード時において、表示部１４に画像を表示する処理の流れの別の態様を示すフローチャート
【図９】撮影モード時における電源制御の流れを示すフローチャート
【図１０】本発明の第２の実施形態に係る表示装置を備えたカメラ付携帯電話機の外観を示す斜視図
【符号の説明】
【００９６】
１０…撮影装置、１２…操作部、１４…表示部、１６…カメラ本体部、１８…レンズユニット、１４０…表示部、１４２…照明部、１４４…被写体光制御部、１４６…補正光学系
【図１】
2009111581.tif 000003
【図２】
2009111581.tif 000004
【図３】
2009111581.tif 000005
【図４】
2009111581.tif 000006
【図５】
2009111581.tif 000007
【図６】
2009111581.tif 000008
【図７】
2009111581.tif 000009
【図８】
2009111581.tif 000010
【図９】
2009111581.tif 000011
【図１０】
2009111581.tif 000012